(57)【要約】【課題】害虫防除効果が長期にわたり持続する害虫防除製品の新たな使用方法を提供することを課題とする。【解決手段】害虫防除成分と熱可塑性樹脂とを含有する繊維を備え、前記繊維によってネット状に形成されており、前記害虫防除成分は、２５℃における蒸気圧が１×１０−６ｍｍＨｇ以下である、害虫防除製品。【選択図】図１
2018166521.tif 000002
【特許請求の範囲】
【請求項１】
害虫防除成分と熱可塑性樹脂とを含有する繊維を備え、
前記繊維によってネット状に形成されており、
前記害虫防除成分は、２５℃における蒸気圧が１×１０−６ｍｍＨｇ以下である、害虫防除製品。
【発明の詳細な説明】
【技術分野】
【０００１】
本発明は、害虫防除製品に関する。
【背景技術】
【０００２】
従来、熱可塑性樹脂に害虫防除成分を含有させた害虫防除製品が知られている。このような害虫防除製品によれば、熱可塑性樹脂からブリードする害虫防除成分によって、害虫を防除することができる。
【０００３】
例えば、特許文献１には、害虫防除成分と熱可塑性樹脂とを含有する繊維を備え、前記繊維によってネット状に形成されている害虫防除製品が記載されている。このような害虫防除製品は、ネット状に形成されていることによって、取り付けられる物などの形状及び大きさに関わらず取り付け易くなっており、また、通気性を確保しつつ害虫を防除することができる。
【先行技術文献】
【特許文献】
【０００４】
【特許文献１】特開２００８−１３５０８号公報
【特許文献２】特開２０１５−７１５４８号公報
【発明の概要】
【発明が解決しようとする課題】
【０００５】
特許文献１に記載されたような害虫防除製品は、害虫防除効果が長期にわたり持続することが知られており、その使用方法としては、例えば、特許文献１に記載されている蚊帳等のネットに用いる方法や、特許文献２に記載されている養生メッシュ、メッシュシェード、家庭雑貨シート等のネットに用いる方法が知られている。
【０００６】
本発明は、害虫防除効果が長期にわたり持続する害虫防除製品の新たな使用方法を提供することを課題とする。
【課題を解決するための手段】
【０００７】
本発明に係る害虫防除製品は、
害虫防除成分と熱可塑性樹脂とを含有する繊維を備え、
前記繊維によってネット状に形成されており、
前記害虫防除成分は、２５℃における蒸気圧が１×１０−６ｍｍＨｇ以下である。
【発明の効果】
【０００８】
本発明によれば、種々の用途に使用することができ、比較的長期にわたり害虫防除成分による害虫防除効果が持続する害虫防除製品を提供することができる。
【図面の簡単な説明】
【０００９】
【図１】図１は本実施形態に係る害虫防除製品の一部を拡大した平面図である。
【図２】図２は使用例１に係る、害虫防除製品が使用された窓用の網戸を示す。
【図３】図３は使用例２に係る、害虫防除製品が使用されたドア用の網戸を示す。
【図４】図４は使用例３に係る、害虫防除製品が使用された換気装置用の換気口カバーを示す。
【図５】図５は使用例４に係る、害虫防除製品が使用されたガラリを示す。
【図６】図６は使用例５に係る、害虫防除製品が使用されたノレンを示す。
【図７】図７は使用例６に係る、害虫防除製品が使用されたブースを示す。
【図８】図８は使用例７に係る、害虫防除製品が使用された間仕切り用のカーテンを示す。
【図９】図９は使用例８に係る、害虫防除製品が使用された原料カバーを示す。
【図１０】図１０は使用例９に係る、害虫防除製品が使用された空調機カバーを示す。
【図１１】図１１は使用例１０に係る、害虫防除製品が使用されたロールブラインドを示す。
【図１２】図１２は使用例１１に係る、害虫防除製品が使用された窓用のカーテンを示す。
【図１３】図１３は使用例１２に係る、害虫防除製品が使用された照明カバーを示す。
【図１４】図１４は使用例１３に係る、害虫防除製品が使用された食材保護具を示す。
【図１５】図１５は使用例１４に係る、害虫防除製品が使用された集水桝及び排水溝蓋カバーを示す。
【図１６】図１６は使用例１５に係る、害虫防除製品が使用されたゴミ置き場ネットを示す。
【図１７】図１７は使用例１６に係る、害虫防除製品が使用された外周フェンスを示す。
【図１８】図１８は使用例１７に係る、害虫防除製品が使用されたテントを示す。
【図１９】図１９は使用例１８に係る、害虫防除製品が使用された、畜舎に取り付けられた網戸を示す。
【図２０】図２０は使用例１９に係る、害虫防除製品が使用された樹木保護カバーを示す。
【図２１】図２１は使用例２０に係る、害虫防除製品が使用された農作物保護カバーを示す。
【図２２】図２２は使用例２１に係る、害虫防除製品が使用された果実カバーを示す。
【図２３】図２３は使用例２２に係る、害虫防除製品が使用された腕カバーを示す。
【図２４】図２４は使用例２４に係る、害虫防除製品が使用されたペット保護具としての腹部カバーを示す。
【発明を実施するための形態】
【００１０】
以下、図１を参照しつつ、本発明の一実施形態に係る害虫防除製品について説明する。
【００１１】
本実施形態に係る害虫防除製品は、害虫防除成分と熱可塑性樹脂とを含有する繊維を備え、前記繊維によってネット状に形成されており、前記害虫防除成分は２５℃における蒸気圧が１×１０−６ｍｍＨｇ以下である。
なお、ネット状に形成された害虫防除製品は、一部が木綿や絹等の天然繊維、害虫防除成分を含まない樹脂繊維を含んでいてもよい。
【００１２】
図１に示すように、本実施形態に係る害虫防除製品１は、繊維１０１によって略均一な形状の複数の網目１０２が構成されてネット状に形成されている。ネット状に形成された害虫防除製品１は、複数の網目１０２を形成するようにラッセル編み、トリコット編み若しくはメリヤス編み等の従来公知の方法によって編成され、又は、平織等で織成されることによって構成されている。
【００１３】
網目１０２それぞれは、害虫が繊維１０１の表面に接触することなく通過することができず、且つ、通気性を有するように形成されている。より具体的には、網目１０２一つ当たりの空隙面積が、好ましくは２〜６５ｍｍ２に設定されており、より好ましくは２〜３６ｍｍ２に設定されており、さらに好ましくは８〜２５ｍｍ２に設定されている。
本実施形態では、各網目の形状は六角形状である。この場合、最大内径は、通常１〜５ｍｍに設定されており、好ましくは２〜４ｍｍに設定されている。
また、各網目の形状は、四角形状であってもよく、この場合、最大内径は、通常１．５〜５ｍｍに設定されており、好ましくは２〜４ｍｍに設定されている。
【００１４】
繊維１０１は、通常、モノフィラメントである。繊維１０１の太さは、１００〜４００デニールに設定されており、好ましくは１２０〜２００デニールに設定されている。また、繊維１０１の線径は、１００〜５００μｍに設定されている。
このような繊維１０１によってネットが形成された害虫防除製品１は、使用される場所に取り付け易くなっている。
【００１５】
繊維１０１は、熱可塑性樹脂を含有する。熱可塑性樹脂としては、オレフィン系樹脂、ポリ塩化ビニル、ポリビニルアルコール、ポリカーボネート、ポリエステル、ポリメチルメタクリレート又はポリ乳酸等を挙げることができる。
繊維１０１には、熱可塑性樹脂と熱可塑性エラストマー等との混合物が含有されてもよい。
これらの熱可塑性樹脂及び熱可塑性エラストマーは、それぞれ２種以上が混合されて含有されてもよく、用いる害虫防除成分の種類、含有量等に応じて適宜選択される。
【００１６】
オレフィン系樹脂としては、ポリエチレン（低密度ポリエチレン（直鎖状低密度ポリエチレン（ＬＬＤＰＥ）を含む）、超低密度ポリエチレン、中密度ポリエチレン、高密度ポリエチレン）、エチレンと炭素原子数３以上のα−オレフィンとの共重合体等のポリエチレン共重合体樹脂、プロピレン単独重合体、プロピレンと炭素原子数４以上のα−オレフィンとのランダム共重合体やブロック共重合体、エチレン−メチルメタアクリレート共重合体、エチレン−酢酸ビニル共重合体、エチレン−アクリル酸共重合体等のエチレン性不飽和結合を有するカルボン酸誘導体とエチレンとの共重合体等の単独あるいはこれらの混合物が挙げられる。
【００１７】
熱可塑性エラストマーとしては、オレフィン系熱可塑性エラストマー、スチレン系熱可塑性エラストマー等が挙げられ、オレフィン系熱可塑性エラストマーとしては、エチレン又はプロピレンを主成分とするエラストマーが挙げられ、スチレン系熱可塑性エラストマーとしては、ポリスチレンブロックとポリイソプレンブロック及び／又はポリブタジエンブロックとのブロック共重合体並びにその水素添加物が挙げられる。
【００１８】
繊維１０１は、２５℃における蒸気圧が１×１０−６ｍｍＨｇ以下の害虫防除成分（以下、単に害虫防除成分と記す場合もある）を含有する。
【００１９】
害虫防除成分としては、２５℃における蒸気圧が１×１０−６ｍｍＨｇ以下の害虫防除成分であれば特に限定されるものではないが、例えば、ペルメトリン、シペルメトリン、シフェノトリン、ｄ−フェノトリン、レスメトリン、フェンバレレート、エスフェンバレレート、フェンプロパトリン、エトフェンプロクス、トラロメトリン、デルタメトリン、シラフルオフェン、ビフェントリン等のピレスロイド化合物やその他の害虫防除成分が挙げられる。この中でも、ペルメトリン又はデルタメトリンが好ましく用いられる。
【００２０】
本実施形態の害虫防除製品１では、害虫防除成分が繊維１０１の表面にブリードし、害虫が該表面において害虫防除成分と接触することによって、害虫防除効果を奏する。
このような害虫防除成分は、揮散性が低いことによって、該表面にブリードした後も速やかに揮散することなく留まるため、繊維１０１内からの更なる害虫防除成分のブリードが抑制される。従って、本実施形態に係る害虫防除製品１は、例えば数年間にわたり害虫防除効果が発揮され得る。
【００２１】
害虫防除成分の含有量は、その種類、用途、使用期間等によっても異なるものであるが、具体的には害虫防除製品１の重量に対して０．１〜１０重量％、好ましくは０．５〜５重量％、より好ましくは０．２〜４重量％であり、さらに好ましくは２重量％である。
【００２２】
上記のように、本実施形態に係る害虫防除製品１に含有される害虫防除成分は、繊維１０１の表面にブリードすることにより害虫防除効果を奏するが、その使用時における害虫防除製品１の繊維１０１表面全体に存在する害虫防除成分量は、害虫防除製品１ｋｇ当たり通常０．０３〜３ｇ程度である。
なお、害虫防除製品１の繊維１０１表面全体に存在する害虫防除成分量は、害虫防除製品１をアセトンやキシレン等の有機溶媒で洗浄処理後、例えば、ガスクロマトグラフィーを使用して、該有機溶媒中に溶出された害虫防除成分量を測定することにより容易に求めることができる。
【００２３】
繊維１０１は、害虫防除成分の効果を向上させる共力剤を含有していてもよい。このような共力剤としては、ピペロニルブトキシドが挙げられる。
【００２４】
繊維１０１は、粉状担体がさらに含有されていてもよい。このような粉状担体としては、タルク、カオリン、クレー、シリカ系微粒子、カーボン、デキストリン類等の微粉末状担体が挙げられる。
【００２５】
粉状担体の平均粒径は、通常０．０１〜４０μｍであり、好ましくは０．０３〜２０μｍである。
【００２６】
粉状担体の害虫防除製品１に対する含有量は、適切なブリード性やその害虫防除効果等を考慮の上で決定されるものであるが、通常０．０１〜１０重量％、好ましくは０．５〜５重量％である。
【００２７】
繊維１０１には、酸化防止剤、光安定剤、紫外線吸収剤、顔料、滑剤等の熱可塑性樹脂の使用に際して通常配合され得る一般的な配合剤が適宜配合されていてもよい。
【００２８】
本実施形態の害虫防除製品１は、種々の害虫に対して効果を発揮する。例えば、以下に示される害虫を防除するために用いられる。
【００２９】
ハエ目害虫：アカイエカ、ネッタイイエカ、ヒトスジシマカ、オオクロヤブカ、シナハマダラカ、チカイエカ、ネッタイイエカ等のカ科、キアシオオブユ、ツメトゲツユブユ等のブユ科、ウシアブ、アカウシアブ、イヨシロオビアブ等のアブ科、アメリカミズアブ等のミズアブ科、イエバエ、オオイエバエ、サシバエ、ノサシバエ等のイエバエ科、オオクロバエ、ケブカクロバエ、ヒロズキンバエ等のクロバエ科、センチニクバエ等のニクバエ科、ヒメイエバエ等のヒメイエバエ科、オオキモンノミバエ、クサビノミバエ等のノミバエ科、オオチョウバエ、ホシチョウバエ等のチョウバエ科、キイロショウジョウバエ等のショウジョウバエ科、チビクロバネキノコバエ等のクロバネキノコバエ科、トビモンナミキノコバエ等のキノコバエ科、タマバエ科、トゲハネバエ科、クロコバエ科、ハマベハヤトビバエ等のハヤトビバエ科、ヒメセアカケバエ、ハグロケバエ等のケバエ科、ナガサキニセケバエ等のニセケバエ科、ヤマトクロコバエ、ナミクロコバエ等のクロコバエ科、オオユスリカ、セスジユスリカ、アカムシユスリカ、ハイイロユスリカ等のユスリカ科、ガガンボ科等；
【００３０】
カメムシ目害虫：ヒメトビウンカ、トビイロウンカ等のウンカ科、ツマグロヨコバイ等のヨコバイ科、ワタアブラムシ、モモアカアブラムシ等のアブラムシ科、シラホシカメムシ、クサギカメムシ、マルカメムシ等のカメムシ科、ホソヘリカメムシ等のホソヘリカメムシ科、オンシツコナジラミ等のコナジラミ科、トコジラミ、ネッタイトコジラミ等のトコジラミ科等；
【００３１】
チョウ目害虫：ノシメマダラメイガ、スジコナマダラメイガ、ニカメイガ、コブノメイガ等のメイガ科、ハスモンヨトウ、アワヨトウ等のヤガ科、マメシンクイガ、コドリンガ等のハマキガ科、モモシンクイガ等のシンクイガ科、ホソガ科、ハモグリガ科、マイマイガ、チャドクガ等のドクガ科、コナガ等のコナガ科、モンシロチョウ等のシロチョウ科、キバガ科、ヒトリガ科、イラガ科、スズメガ科、イガ、コイガ等のヒロズコガ科、コウモリガ科、ボクトウガ科、スカシバ科等；
【００３２】
ハチ目害虫：コガタスズメバチ、キアシナガバチ等のスズメバチ科、イエヒメアリ、アルゼンチンアリ、クロヤマアリ、クロオオアリ、アミメアリ、ヒアリ、アカカミアリ等のアリ科等；
【００３３】
コウチュウ目害虫：コクヌストモドキ、ヒラタコクヌストモドキ、ガイマイゴミムシダマシ、コメノゴミムシダマシ、クロゴミムシダマシ等のゴミムシダマシ科、ヒメマルカツオブシムシ、ヒメカツオブシムシ等のカツオブシムシ科、タバコシバンムシ、ジンサンシバンムシ等のシバンムシ科、コクゾウムシ、マメゾウムシ等のゾウムシ科、ニセセマルヒョウホンムシ、ナガヒョウホンムシ等のヒョウホンムシ科、アオバアリガタハネカクシ、ヒゲブトハネカクシ、コガシラハネカクシ等のハネカクシ科、ノコギリヒラタムシ、カクムネチビヒラタムシ等のヒラタムシ科、ヒメマキムシ、スジタカヒメマキムシ、ムナビロヒメマキムシ等のヒメマキムシ科、ドウガネブイブイ、ヒメコガネ、アオドウガネ、マメコガネ、ナガチャコガネ、クロマルコガネ、カナブン、シロテンハナムグリ等のコガネムシ科等；
【００３４】
チャタテムシ目害虫：コチャタテ、ヒラタチャタテ、カツブシチャタテ、ウスグロチャタテ等；
【００３５】
ゴキブリ目害虫：チャバネゴキブリ等のチャバネゴキブリ科、クロゴキブリ、ワモンゴキブリ、トビイロゴキブリ、トウヨウゴキブリ等のゴキブリ科、ヤマトシロアリ、イエシロアリ、アメリカカンザイシロアリ、ダイコクシロアリ等のシロアリ科等；
【００３６】
バッタ目害虫：エンマコオロギ、ヨーロッパイエコオロギ等のコオロギ科、カマドウマ等のカマドウマ科、ケラ等のケラ科等；
【００３７】
アザミウマ目害虫：ミナミキイロアザミウマ、ミカンキイロアザミウマ、ネギアザミウマ等のアザミウマ科；
【００３８】
ノミ目害虫：ネコノミ、イヌノミ、ネズミノミ、ヒトノミ等；
【００３９】
シミ目害虫：ヤマトシミ、セイヨウシミ等；
【００４０】
ダニ目害虫：コナヒョウヒダニ、ヤケヒョウヒダニ等のチリダニ科、ケナガコナダニ等のコナダニ科、ミナミツメダニ等のツメダニ科、ミミヒゼンダニ、ヒゼンダニ等のヒゼンダニ科、ニキビタニ科、イエササラダニ科、イエダニ、トリサシダニ等のオオサシダニ科、
ワクモ等のワクモ科、アカツツガムシ等のツツガムシ科、フタトゲチマダニ、キチマダ
ニ、アメリカイヌカクマダニ、ブラックレッグドチック、アメリカキララマダニ、クリイロコイタマダニ、オウシマダニ等のマダニ科、アカベアナタカラダニ等のタカラダニ科等；
【００４１】
トビムシ目害虫：アヤトビムシ、マルトビムシ、ムラサキトビムシ、トゲチビムシ、シロトビムシ等；
【００４２】
クモ目害虫：セアカゴケグモ等のヒメグモ科、アシダカグモ等のアシダカグモ科、ユウレイグモ科、オオツチグモ科、シボグモ科、コモリグモ科、ハエトリグモ科、イトグモ科、コガネグモ科、ウシオグモ科、ジョロウグモ科、カニグモ科等；
【００４３】
オビヤスデ目害虫：ヤケヤスデ、アカヤスデ等のヤケヤスデ科等；
【００４４】
ワラジムシ目害虫：ワラジムシ等のワラジムシ科、オカダンゴムシ等のオカダンゴムシ科；
【００４５】
ムカデ綱害虫：ゲジ等のゲジ科、トビズムカデ等のオオムカデ科、イッスンムカデ等のイッスンムカデ科等；
【００４６】
腹足綱害虫：チャコウラナメクジ、キイロコウラナメクジ等のコウラナメクジ、ナメクジ等のナメクジ科、ミスジマイマイ等のオナジマイマイ科等。
【００４７】
次に、本実施形態に係る繊維１０１の製造方法について説明する。
【００４８】
繊維１０１の製造方法としては、まず、所要量の熱可塑性樹脂と所要量の害虫防除成分とを溶融混練して樹脂組成物を製造する。あるいは、所要量の熱可塑性樹脂のうちの一部と所要量の害虫防除成分とを予め溶融混合してマスターバッチを製造し、次に該マスターバッチと熱可塑性樹脂の残部とを溶融混練して樹脂組成物を製造してもよい。
マスターバッチを経由する方法においては、マスターバッチを製造する工程に用いる熱可塑性樹脂と、マスターバッチから本樹脂組成物を製造する工程に用いる熱可塑性樹脂とは同一であっても異なっていてもよい。例えば、マスターバッチを製造する工程においては直鎖状低密度ポリエチレン（ＬＬＤＰＥ）を用い、次いでマスターバッチから樹脂組成物を製造する工程においては高密度ポリエチレンを用いてもよい。
【００４９】
樹脂組成物に粉状担体を含有させる方法としては、樹脂組成物の前記製造方法の各工程において、害虫防除成分と熱可塑性樹脂との溶融混練時に、併せて粉状担体とを混合する方法が挙げられ、また、害虫防除成分と粉状担体とを予め混合して害虫防除成分担持体とし、次いで、熱可塑性樹脂に害虫防除成分担持体を溶融混合する方法が挙げられる。より詳しくは、害虫防除成分と粉状担体とを予め混合して得られる害虫防除成分担持体と所要量の熱可塑性樹脂のうちの一部とを溶融混合してマスターバッチを製造し、次に該マスターバッチと熱可塑性樹脂の残部とを溶融混練して樹脂組成物を製造する方法が挙げられる。
【００５０】
次に、得られた樹脂組成物を公知の方法に従って、例えば、溶融紡糸する。これによって、繊維１０１を容易に製造することができる。
なお、害虫防除成分以外の材料を用いて樹脂組成物を製造し、繊維状にした後、害虫防除成分をコーティング又は含侵することによって繊維１０１を製造してもよい。
【００５１】
以下、実施例によって本発明をより詳細に説明する。
【００５２】
（実施例１）
工程１：
粉状担体として多孔質シリカ１６．９５重量部、害虫防除成分としてペルメトリン（純度９７．０％、住友化学株式会社製）３１．７６重量部、ステアリン酸亜鉛２０．００重量部及び酸化防止剤としてジブチルヒドロキシトルエン１．０８重量部を高速ミキサーに投入し、５０℃で混合撹拌することによって、シリカ含侵カプセルを調製した。
工程２：
工程１において得られたシリカ含侵カプセル６９．８０重量部及び低密度ポリエチレン１３４．３０重量部を定量フィーダーにより二軸押し出し機に投入し、溶融混練した後、押し出し、所定サイズに切断することによって、害虫防除成分を含有する樹脂ペレット（直径：３ｍｍ、長さ：３ｍｍ）を製造した。
工程３：
工程２において得られた樹脂ペレット１３．５７重量部、高密度ポリエチレン（密度０．９５３ｇ／ｃｍ３、ＭＦＲ０．９５ｇ／１０ｍｉｎ）８５．４３重量部及び黒色顔料１．０重量部をドランブレンドし、所定のシリンダー温度で溶融紡糸、延伸（延伸倍率９．５倍）することによって、害虫防除成分を含有するモノフィラメント繊維組成物（１５５デニール）を得た。
工程４：
工程３において得られた繊維組成物を、ラッセル編み機によって四角形状の網目を有するネット状に形成し、害虫防除製品Ｐ１を作製した。
得られたＰ１の詳細は、以下の通りであった。
単位面積当たりの重量：７５ｇ／ｍ２
網目の形状：四角形状
網目の最大内径：３．５ｍｍ
ペルメトリン含有量：２．０４％（ガスクロマトグラフィーによる分析）
網目一つ当たりの空隙面積：６．２５ｍｍ２
洗濯耐久性：９８．８％（Ｗａｓｈ  ｒｅｓｉｓｔａｎｃｅ  ｉｎｄｅｘ，  ＣＩＰＡＣ  ＭＴ−１９５）
【００５３】
（実施例２）
実施例１と同様にしてメッシュサイズの異なる害虫防除製品Ｐ１’を作製した。得られたＰ１’の詳細は、以下の通りであった。
網目の形状：四角形状
網目の最大内径：３．０ｍｍ
ペルメトリン含有量：２％（ガスクロマトグラフィーによる分析）
網目一つ当たりの空隙面積：４．５０ｍｍ２
【００５４】
（実施例３）
工程３において樹脂ペレット７５．８１重量部、高密度ポリエチレン４９０．４９重量部、白色顔料１．７１重量部及び青色顔料２．００重量部とし、工程４において網目の形状を六角形とした以外は、実施例１と同様にして害虫防除製品Ｐ２を作製した。尚、得られたモノフィラメント繊維組成物の太さは１６０デニールであった。
また、得られたＰ２の詳細は、以下の通りであった。
単位面積当たりの重量：４０ｇ／ｍ２
網目の形状：六角形状
網目の最大内径：３．５ｍｍ
ペルメトリン含有量：２．０１％（ガスクロマトグラフィーによる分析）
網目一つ当たりの空隙面積：７．８５ｍｍ２
洗濯耐久性：９９．０％（Ｗａｓｈ  ｒｅｓｉｓｔａｎｃｅ  ｉｎｄｅｘ，  ＣＩＰＡＣ  ＭＴ−１９５）
【００５５】
（実施例４）
工程１：
粉状担体として多孔質シリカ１７．７０重量部、害虫防除成分としてペルメトリン（純度９７．０％、住友化学株式会社製）２１．７５重量部、共力剤としてピペロニルブトキシド１２．３４重量部、ステアリン酸亜鉛１３．７１重量部、酸化防止剤としてジブチルヒドロキシトルエン０．７４重量部及び加工安定化剤（スミライザーＧＰ、住友化学株式会社製）２．１重量部をスーパーミキサーに投入し、５０℃で撹拌することによって、シリカ含侵カプセルを調製した。
工程２：
工程１において得られたシリカ含侵カプセル６８．３４重量部及び低密度ポリエチレン１３５．７６重量部を定量フィーダーによって二軸押し出し機に投入し、溶融混練した後、押し出し、所定サイズに切断することによって、害虫防除成分を含有する樹脂ペレット（直径：３ｍｍ、長さ：３ｍｍ）を製造した。
工程３：
工程２において得られた樹脂ペレット１８．７７重量部、直鎖状低密度ポリエチレン３９．９７４重量部、高密度ポリエチレン（密度０．９５４ｇ／ｃｍ３、ＭＦＲ０．９５ｇ／１０ｍｉｎ）白色顔料０．６３６重量部をドランブレンドし、所定のシリンダー温度で溶融紡糸、延伸（延伸倍率９．０倍）することによって、害虫防除成分を含有するモノフィラメント繊維組成物（１５０デニール）を得た。
工程４：
工程３において得られた繊維組成物を、ラッセル編み機によって六角形状の網目を有するネット状に形成し、害虫防除製品Ｐ３を作製した。
得られたＰ３の詳細は、以下の通りであった。
単位面積当たりの重量：３９ｇ／ｍ２
網目の形状：六角形状
網目の最大内径：３．５ｍｍ
ペルメトリン含有量：２．０２％（ガスクロマトグラフィーによる分析）
網目一つ当たりの空隙面積：７．８５ｍｍ２
洗濯耐久性：９８．０％（Ｗａｓｈ  ｒｅｓｉｓｔａｎｃｅ  ｉｎｄｅｘ，  ＣＩＰＡＣ  ＭＴ−１９５）
【００５６】
害虫防除製品Ｐ１、Ｐ１’、Ｐ２及びＰ３は、ネットとしてそのまま使用されてもよく、また、他の部材に取り付けられて使用されてもよい。
害虫防除製品Ｐ２は、特にクロヤマアリ、タバコシバンムシ、コクヌストモドキ、チビクロバネキノコバエ、ヤマトクロコバエ及びユスリカ類等の昆虫に高い効果を発揮する。
害虫防除製品Ｐ３は、共力剤を含有するため、特に殺虫剤抵抗性の害虫全般に高い効果を発揮する。
以下、図２〜図２４を参照し、実施例１、２、３及び４の害虫防除製品Ｐ１、Ｐ１’、Ｐ２及びＰ３（以下、単に害虫防除製品Ｐと記載することもある）の使用例について、より具体的に説明する。
【００５７】
（使用例１）
害虫防除製品Ｐは、窓用の網戸２の一部として使用されてもよい。
図２には、使用例１として、害虫防除製品Ｐが窓用の網戸２の一部として使用される態様が示されている。網戸２は、矩形状の枠部材２０とネット２２とを備え、ネット２２は周縁部が枠部材２０に支持されている。詳しくは、棒状の支持部材（不図示）と枠部材２０との間にネット２２の周縁部が配された状態で、枠部材２０と該支持部材とをネジで結合させることによって、ネット２２が枠部材２０に支持されている。本使用例においては、このネット２２に害虫防除製品Ｐが使用されている。
尚、本使用例の他の態様としては、害虫防除成分を含まないネットを備える既存の網戸２に、害虫防除製品Ｐが取り付けられてもよい。取り付け手段としては、例えば、枠部材２０の四隅に面ファスナーの一方が貼付され、害虫防除製品Ｐの四隅に面ファスナーの他方が取り付けられ、各面ファスナーが互いに結合されることによって、害虫防除製品Ｐが枠部材２０に取り付けられる。取り付け手段として、面ファスナーの代わりに磁石が用いられてもよい。
網戸２又は網戸２に取り付けられた害虫防除製品Ｐによれば、匍匐性昆虫であるクロゴキブリ及びクロヤマアリの侵入が効果的に抑制される。また、飛翔性昆虫であるヒトスジシマカ、チビクロバネキノコバエ、ヤマトクロコバエ、ユスリカ類及びイエバエの侵入が効果的に抑制される。
このような網戸が工場、倉庫、住宅又はビルの窓に使用されることによって、飛翔性昆虫であるヒトスジシマカ及びイエバエの侵入が効果的に抑制される。例えば、食品工場の窓に使用されることによって、換気等のための窓開放時において、食品に誘引されるイエバエ、並びに、明かりに誘引されるチビクロバネキノコバエ、ヤマトクロコバエ及びユスリカ類の侵入が抑制される。
特に、害虫防除製品ＰとしてＰ２が使用される場合、チビクロバネキノコバエ、ヤマトクロコバエ、ユスリカ類及びイエバエの侵入がより効果的に抑制される。
【００５８】
また、本使用例の更なる他の態様として、二つのネット２２が、隙間を空けて二重に重ねられてもよい。ネット２２が二重に重ねられることによって、微小な昆虫であるミナミキイロアザミウマの侵入が効果的に抑制される。ネット２２が二重に重ねられた網戸は、例えば、高い衛生レベルが要求される医薬品工場において使用される。
【００５９】
（使用例２）
害虫防除製品Ｐは、ドア用の網戸３の一部として使用されてもよい。
図３には、害虫防除製品Ｐがドア用の網戸３の一部として使用される態様が示されている。網戸３は、矩形状の枠部材３２とネット３４とを備え、ネット３４は使用例１と同様にして枠部材３２に支持されている。本使用例においては、このネット３４に害虫防除製品Ｐが使用されている。
尚、本使用例の他の態様としては、害虫防除成分を含まないネットを備える既存の網戸３に、害虫防除製品Ｐが取り付けられてもよい。害虫防除製品Ｐは、使用例１と同様の取り付け手段によって、枠部材３２に取り付けられている。
網戸３又は網戸３に取り付けられた害虫防除製品Ｐによれば、匍匐性昆虫であるクロゴキブリ及びクロヤマアリの侵入が効果的に抑制される。また、飛翔性昆虫であるタテスジシマカ、チビクロバネキノコバエ、ヤマトクロコバエ、ユスリカ類、ミナミキイロアザミウマ及びイエバエの侵入が効果的に抑制される。
このような網戸は、工場、倉庫、住宅又はビル等の出入口において使用される。例えば医薬品や食品の製造工場の出入口に使用されることによって、製品の原料に誘引されるイエバエ、並びに、明かりに誘引されるチビクロバネキノコバエ、ヤマトクロコバエ及びユスリカ類の侵入が効果的に抑制される。
また、特に、害虫防除製品ＰとしてＰ１又はＰ１’が使用される場合、ミナミキイロアザミウマの侵入がより効果的に抑制される。
【００６０】
（使用例３）
害虫防除製品Ｐは、換気装置用の換気口カバーの一部として使用されてもよい。
図４には、害虫防除製品Ｐが換気装置用の換気口カバー４の一部として使用される態様が示されている。換気口カバー４は、矩形状の対をなす枠部材４２とネット４４とを備え、ネット４４は周縁部が対をなす枠部材４２の間に挟持されるように支持されている。詳しくは、二つの枠部材４２には、八つのネジ穴が形成されており、二つの枠部材４２の間にネット４４の周縁部が配された状態で、ネジ４６により二つの枠部材４２が締め付けられることによって、ネット４４が各枠部材４２の間に挟持されて支持されている。本使用例においては、このネット４４に害虫防除製品Ｐが使用されている。
換気口カバー４によれば、飛翔性昆虫であるヒトスジシマカ、チビクロバネキノコバエ、ヤマトクロコバエ、ユスリカ類及びイエバエの換気ダクトを介した侵入が効果的に抑制される。
換気口カバー４は、工場、倉庫等における換気装置の換気口カバーとして使用される。例えば、食品工場や食品倉庫の換気装置としての換気扇に使用されることによって、食品に誘引されるイエバエ、並びに、明かりに誘引されるチビクロバネキノコバエ、ヤマトクロコバエ及びユスリカ類の侵入が抑制される。
特に、害虫防除製品ＰとしてＰ２が使用される場合、チビクロバネキノコバエ、ヤマトクロコバエ、ユスリカ類及びイエバエの侵入がより効果的に抑制される。
【００６１】
（使用例４）
害虫防除製品Ｐは、ガラリ５の一部として使用されてもよい。
図５には、害虫防除製品Ｐがガラリ５の一部として使用される態様が示されている。ガラリ５は、矩形状の枠部材５２とネット５４とを備え、ネット５４は対向する一対の端縁部が一対の支持部材５６によって枠部材５２に支持されている。詳しくは、枠部材５２の一対の端縁部と各支持部材５６との間にネット５４の一対の端縁部が配された状態で、ネジ５８により各支持部材５６が枠部材５２に固定されることによって、ネット５４が枠部材５２と各支持部材５６との間に挟持されて支持されている。本使用例においては、このネット５４に害虫防除製品が使用されている。
ガラリ５によれば、飛翔性昆虫であるヒトスジシマカ、イエバエ及びユスリカ類、並びに、歩行性昆虫であるクロゴキブリ及びクロヤマアリのガラリを介した室内への侵入が効果的に抑制される。
ガラリ５は、工場等において使用される。
特に、害虫防除製品ＰとしてＰ２が使用される場合、ヒトスジシマカ、ユスリカ類及びイエバエの侵入がより効果的に抑制される。
【００６２】
（使用例５）
害虫防除製品Ｐは、ノレン６の一部として使用されてもよい。
図６には、害虫防除製品Ｐがノレン６の一部として使用される態様が示されている。ノレン６は、棒状の二本の支持棒６２と二つのネット６４とを備え、各ネット６４は一端縁部が二本の支持棒６２の間に挟持されることによって支持されている。詳しくは、二本の支持棒６２の間に各ネット６４の一端縁部が配された状態で、二本の支持棒６２を結束バンドにより結合させることによって、ネット６４が各支持棒６２の間に挟持されるように支持されている。本使用例においては、このネット６４に害虫防除製品Ｐが使用されている。
尚、本使用例においては、ネット６４を引張するために、前記一端縁部に対向する他端縁部に重りが備えられてもよい。また、ネット６４の抵抗を軽減するために、前記他端縁部から前記一端縁部に向かってスリットが部分的に形成されていてもよい。また、各ネット６４は、それらの間に生じ得る隙間を狭めるために、少なくとも一部が重なって配されていてもよい。
ノレン６によれば、飛翔性昆虫であるヒトスジシマカ、チビクロバネキノコバエ、ヤマトクロコバエ及びイエバエの侵入が効果的に抑制される。
ノレン６は、工場や倉庫の出入口に取り付けられて使用される。例えば、食品工場や食品倉庫の出入口に使用されることによって、出入口のシャッター開放時において、食品に誘引されるイエバエ、並びに、明かりに誘引されるヤマトクロコバエ、チビクロバネキノコバエ及びユスリカ類の侵入が抑制される。
特に、害虫防除製品ＰとしてＰ２が使用される場合、ヒトスジシマカ、ユスリカ類及びイエバエの侵入がより効果的に抑制される。
【００６３】
（使用例６）
害虫防除製品Ｐは、ブース７の一部として使用されてもよい。
図７には、害虫防除製品Ｐがブース７の一部として使用される態様が示されている。ブース７は、矩形状の天板７２と天板７２の四隅から垂直方向下向きに延びている四本の脚部７４と、ネット７６とを備え、ネット７６は一端縁部が天板７２の近傍に吊り下げられている。詳しくは、天板７２の近傍に、ワイヤー７８が配され、また、ネット７６は前記一端縁部にハトメ加工がなされており、ハトメにワイヤー７８を通すことによって、ネット７６がワイヤー７８に吊り下げられている。本使用例においては、このネット７６に害虫防除製品Ｐが使用されている。
ブース７によれば、匍匐性昆虫であるイエヒメアリ、クロヤマアリ、タバコシバンムシ及びクロゴキブリのブース７内への侵入が効果的に抑制される。また、飛翔性昆虫であるヒトスジシマカ、チョウバエ、ショウジョウバエ、ノミバエ、チビクロバネキノコバエ、ヤマトクロコバエ、ユスリカ類及びイエバエのブース内への侵入が効果的に抑制される。さらに、ブース内に有機物を含む製造原料又は製品等が保管される場合には、貯穀害虫であるタバコシバンムシ、ノコギリヒラタムシ、コクヌストモドキ及びノシメマダラメイガのブース内への侵入が効果的に抑制される。
ブース７は、工場や倉庫等において使用される。例えば、食品工場において、原料保管エリアや製品の仕分け作業が行われるエリアに使用されることによって、原料や製品に誘引されるイエバエ、並びに、明かりに誘引されるチョウバエ、ショウジョウバエ、ノミバエ、チビクロバネキノコバエ及びヤマトクロコバエの侵入が抑制される。
特に、害虫防除製品ＰとしてＰ２が使用される場合、チョウバエ、ショウジョウバエ、ノミバエ、チビクロバネキノコバエ、ヤマトクロコバエ、タバコシバンムシ、ノコギリヒラタムシ、コクヌストモドキ及びノシメマダラメイガの侵入がより効果的に抑制される。
【００６４】
（使用例７）
害虫防除製品Ｐは、間仕切り用のカーテン８の一部として使用されてもよい。
図８には、害虫防除製品Ｐが間仕切り用のカーテン８の一部として使用される態様が示されている。カーテン８は、ネット８２を備え、ネット８２は一端縁部にハトメ加工がなされていることによって、カーテンレールに吊り下げ可能に構成されている。本使用例においては、このネット８２に害虫防除製品Ｐが使用されている。
間仕切り用のカーテン８によれば、匍匐性昆虫であるイエゴキブリ及びクロヤマイエシロアリ、飛翔性昆虫であるタテスジシマカ、チョウバエ、ショウジョウバエ、ノミバエ、チビクロバネキノコバエ、ヤマトクロコバエ及びイエバエ、並びに、貯穀害虫であるタバコシバンムシ、コクヌストモドキ、ノコギリヒラタムシ及びノシメマダラメイガの、間仕切りを介した部屋から部屋への侵入が効果的に抑制される。
間仕切り用のカーテン８は、工場や倉庫等において使用される。例えば、工場内において、衛生レベルの異なるエリア同士を仕切るために使用され、より衛生レベルの高いエリアへのこれらの害虫の侵入が抑制される。
特に、害虫防除製品ＰとしてＰ２が使用される場合、チョウバエ、ショウジョウバエ、ノミバエ、チビクロバネキノコバエ、ヤマトクロコバエ、タバコシバンムシ、ノコギリヒラタムシ、コクヌストモドキ及びノシメマダラメイガの侵入がより効果的に抑制される。
【００６５】
（使用例８）
害虫防除製品Ｐは、原料カバー９の一部として使用されてもよい。
図９には、害虫防除製品Ｐが原料カバー９の一部として使用される態様が示されている。原料カバー９は、原料をカバーする袋状のネット９２と、重りとしての鎖９４とを備え、袋状のネット９２の周端縁部における網目と鎖９４の輪の中とを通した複数の結束バンドを結束することによって、ネット９２と鎖９４とが結合されている。ネット９２に重りとしての鎖９４が結合されていることによって、ネット９２と床面との間における隙間の発生が抑制され得る。本使用例においては、このネット９２に害虫防除製品Ｐが使用されている。
原料カバー９によって、貯穀害虫であるコクヌストモドキ、ノコギリヒラタムシ、コクゾウムシ、タバコシバンムシ及びノシメマダラメイガから原料が効果的に保護される。
原料カバー９は、店舗、コンテナ又は倉庫等の原料を保護するために使用される。
特に、害虫防除製品ＰとしてＰ１又はＰ１’が使用される場合、コクヌストモドキ、ノコギリヒラタムシ、コクゾウムシ、タバコシバンムシ及びノシメマダラメイガの侵入がより効果的に抑制される。
【００６６】
（使用例９）
害虫防除製品Ｐは、空調機カバー１０の一部として使用されてもよい。
図１０には、害虫防除製品Ｐが空調機カバー１０の一部として使用される態様が示されている。空調機カバー１０は、矩形状の枠部材１０４とネット１０６とを備え、ネット１０６は周縁部が枠部材１０４に支持されている。詳しくは、棒状の支持部材（不図示）と枠部材１０４との間にネット１０６の周縁部が配された状態で、枠部材１０４と該支持部材とをネジで結合させることによって、ネット１０６が枠部材１０４に支持されている。本使用例においては、このネット１０６に害虫防除製品Ｐが使用されている。この空調機カバー１０は、一方の嵌合部と他方の被嵌合部との嵌合によって、ダクトの開口縁に取り付けられている。
尚、本使用例の他の態様としては、枠部材１０４の取付面１０４２に、複数の（例えば、四隅に）一方の面ファスナーが貼付されており、空調機に貼付された他方の面ファスナーに結合されて取り付け可能に構成されている。取り付け手段として、面ファスナーの代わりに磁石が用いられてもよい。面ファスナーや磁石が使用されることによって、空調機カバー１０が空調機から取り外し可能となる。
空調機カバー１０によれば、貯穀害虫であるコクヌストモドキ、ノコギリヒラタムシ、コクゾウムシ、タバコシバンムシ及びノシメマダラメイガのダクトを介した室内への侵入が効果的に抑制される。
空調機カバー１０は、工場、倉庫又は住宅等において使用される。
特に、害虫防除製品ＰとしてＰ１又はＰ１’が使用される場合、コクヌストモドキ、ノコギリヒラタムシ、コクゾウムシ、タバコシバンムシ及びノシメマダラメイガの侵入がより効果的に抑制される。
【００６７】
（使用例１０）
害虫防除成分Ｐは、ロールブラインド１１の一部として使用されてもよい。
図１１には、害虫防除製品Ｐがロールブラインド１１の一部として使用される態様が示されている。ロールブラインド１１は、ネット１１１と、ネット１１１の一端縁部を支持しつつネット１１１を引き出し可能に構成された円筒状の回動部１１２と、ネット１１１の引き出し側の反対側に配された取り付けバー１１３と、ネット１１１の弛みを抑制するための前記一端縁部に対向する端縁部に取り付けられた引張バー１１４と、を備える。回動部１１２は、一方の端部にスプロケット１１６を有し、スプロケット１１６にはスプロケット１１６と共動して回動部１１２を回動させる調整コード１１５が取り付けられている。本使用例においては、このネット１１１に害虫防除製品Ｐが使用されている。
ロールブラインド１１によって、飛翔性昆虫であるヒトスジシマカ及びイエバエの窓からの侵入が効果的に抑制される。
ロールブラインド１１は、住宅、ビル、リゾート施設、野外レストラン又はホテル等において使用される。
特に、害虫防除製品ＰとしてＰ２が使用される場合、ヒトスジシマカの侵入がより効果的に抑制される。
【００６８】
（使用例１１）
害虫防除製品Ｐは、窓用のカーテン１２の一部として使用されてもよい。
図１２には、害虫防除製品Ｐが窓用のカーテン１２の一部として使用される態様が示されている。カーテン１２は、ネット１２２を備え、使用例７の間仕切り用のカーテンと同様に構成されている。本使用例においては、このネット１２２に害虫防除製品Ｐが使用されている。
カーテン１２によれば、飛翔性昆虫であるヒトスジシマカ及びイエバエの窓を介した住宅への侵入が効果的に抑制される。
カーテン１２は、住宅、ビル、リゾート施設、レストラン又はホテル等において使用される。
特に、害虫防除製品ＰとしてＰ２が使用される場合、ヒトスジシマカの侵入がより効果的に抑制される。
【００６９】
（使用例１２）
害虫防除製品Ｐは、照明カバー１３の一部として使用されてもよい。
図１３には、害虫防除製品Ｐが照明カバー１３の一部として使用される態様が示されている。照明カバー１３は、袋状のネット１３２を備える。詳しくは、ネット１３２は、照明が中に配される内側空間と、該内側空間に照明を導入するための導入用開口が形成されていることによって、袋状に形成されている。前記導入用開口の開口縁部には、該導入用開口を閉塞するための紐部材（不図示）が取り付けられている。本使用例においては、このネット１３２に害虫防除製品Ｐが使用されている。
照明カバー１３によれば、飛翔性昆虫であるガ類、ユスリカ類、クロバネキノコバエ及びヤマトクロコバエの照明内への侵入が効果的に抑制される。
照明カバー１３は、工場、倉庫、住宅、店舗、ビル、リゾート施設、レストラン、ホテル又は街灯等において使用される。また、照明が発する光に誘引されたこれらの害虫は、照明カバー１３に接触すると死に得るため、照明カバー１３は、照明と組み合わされて、該害虫の減数処理にも用いられる。
特に、害虫防除製品ＰとしてＰ２が使用される場合、ガ類、ユスリカ類、チビクロバネキノコバエ及びヤマトクロコバエの侵入がより効果的に抑制される。
【００７０】
（使用例１３）
害虫防除製品Ｐは、食材保護具１４の一部として使用されてもよい。
図１４には、害虫防除製品Ｐが食材保護具１４の一部として使用される態様が示されている。食材保護具１４は、食材を導入するための開口が形成された袋状のネット１４１と、食材が載置される底板１４２と、底板１４２に連結された骨組１４３とを備える。底板１４２及び骨組１４３は、袋状のネット１４１の内側に配されている。骨組１４３は、底板１４２の周縁部から垂直方向上向きに延びている四つの棒状骨組１４３１と、棒状骨組１４３１の各先端を連結する円形状の円形骨組１４３２とを含み、それぞれがネット１４１を支持している。本使用例においては、このネット１４１に害虫防除製品Ｐが使用されている。
食材保護具１４によれば、イエバエ、ニクバエ及びクロバエから食材が効果的に保護される。例えば、食材保護具１４は、魚の干物用保護具として使用され、その臭いに誘引されるこれらの害虫から干物が保護される。また、干物のような食材の臭いに誘引されたこれらの害虫は、食材保護具１４に接触すると死に得るため、食材保護具１４は、食材と組み合わされて、該害虫の減数処理にも用いられる。
特に、害虫防除製品ＰとしてＰ２が使用される場合、イエバエ、ニクバエ及びクロバエの侵入がより効果的に抑制される。
【００７１】
（使用例１４）
害虫防除製品Ｐは、集水桝及び排水溝蓋カバー１５の一部として使用されてもよい。
図１５には、害虫防除製品Ｐが集水桝及び排水溝蓋カバー１５の一部として使用される態様が示されている。集水桝及び排水溝蓋カバー１５は、袋状に形成されたネット１５２を備える。詳しくは、ネット１５２は、集水桝及び排水溝蓋が中に配される内側空間と、該内側空間に集水桝及び排水溝蓋を導入するための導入用開口が形成されていることによって、袋状に形成されている。前記導入用開口の開口縁部には、該導入用開口を閉塞するための紐部材（不図示）が取り付けられている。本使用例においては、このネット１５２に害虫防除製品Ｐが使用されている。
このような集水桝及び排水溝蓋カバーによれば、集水桝及び排水溝内で発生したチョウバエ、ノミバエ、ショウジョウバエ、チカイエカ、アカイエカ及びタテスジシマカが集水桝及び排水溝外へ放出されることが抑制される。
特に、害虫防除製品ＰとしてＰ２が使用される場合、チョウバエ、ノミバエ、ショウジョウバエ、チカイエカ、アカイエカ及びヒトスジシマカの侵入がより効果的に抑制される。
【００７２】
（使用例１５）
害虫防除製品Ｐは、ゴミ置き場ネット１６の一部として使用されてもよい。
図１６には、害虫防除製品Ｐがゴミ置き場ネット１６の一部として使用される態様が示されている。ゴミ置き場ネット１６は、ゴミ袋を覆うための矩形状のネット１６２と、ネット１６２を支持し且つゴミ置き場に固定される支持棒１６４とを備える。詳しくは、支持棒１６４は、ネット１６２の対向する端縁の間を越えて該対向する端縁に対して平行に延びている。ネット１６２の複数の網目に支持棒１６４が挿入されて、支持棒１６４がネット１６２を支持している。本使用例においては、このネット１６２に害虫防除製品Ｐが使用されている。
尚、本使用例のその他の態様としては、使用例８のように、ゴミ袋をカバーする袋状のネットと、重りとしての鎖とを備え、袋状のネットの周端縁部における網目と鎖の輪の中とを通した複数の結束バンドを結束することによって、ネットと鎖とが結合されていてもよい。
ゴミ置き場ネット１６によれば、ゴミに誘引されたイエバエ、ニクバエ及びクロバエがネット１６２に接触して死に得るため、この害虫の減数処理に用いられる。
特に、害虫防除製品ＰとしてＰ２が使用される場合、イエバエ、ニクバエ及びクロバエの侵入がより効果的に抑制される。
【００７３】
（使用例１６）
害虫防除製品Ｐは、外周フェンス１７の一部として使用されてもよい。
図１７には、害虫防除製品Ｐが外周フェンス１７の一部として使用される態様が示されている。外周フェンス１７は、ネット１７２と複数の支柱１７４とを備え、ネット１７２は、各支柱１７４の間に配されるように一対の端縁部が支柱１７４に支持されている。詳しくは、各支柱１７４は複数のフックを有し、ネット１７２は一対の端縁部における複数の網目に該フックを通して引っ掛けられるようにして支柱１７４に支持されている。本使用例においては、このネット１７２に害虫防除製品Ｐが使用されている。
外周フェンス１７によれば、飛翔性昆虫であるヒトスジシマカ及びイエバエのフェンスで囲まれたエリア内への侵入が効果的に抑制される。
外周フェンス１７は、キャンプ場、球技場、農場、畜舎、製造工場、野外レストラン、リゾート施設又はホテル等の外周に設置されて使用される。
特に、害虫防除製品ＰとしてＰ２が使用される場合、ヒトスジシマカ及びイエバエの侵入がより効果的に抑制される。
【００７４】
（使用例１７）
害虫防除製品Ｐは、テント１８の一部として使用されてもよい。
図１８には、害虫防除製品Ｐがテント１８の一部に使用される態様が示されている。テント１８は、テント本体１８２と、テント本体１８２を引張するための四本の支持ポール１８４とを備え、テント本体１８２の一面には窓部１８６が形成されており、窓部１８６の開口を覆うようにネット１８８が取り付けられている。ネット１８８は、熱融着によって窓部１８６の開口縁部に取り付けられている。本使用例においては、このネット１８８に害虫防除製品Ｐが使用されている。
テント１８によれば、ヒトスジシマカ及びイエバエのテント内への侵入が効果的に抑制される。
特に、テント１８に害虫防除製品ＰとしてＰ１又はＰ１’が使用される場合、ヒトスジシマカ及びイエバエの侵入がより効果的に抑制される。
【００７５】
（使用例１８）
害虫防除製品Ｐは、畜舎の出入口及び通風口に取り付けられる網戸１９の一部として使用されてもよい。
図１９には、害虫防除製品Ｐが網戸１９の一部として使用される態様が示されている。網戸１９は、使用例１及び使用例２の網戸と同様に構成されている。
網戸１９によれば、イエバエ、サシバエ、ニクバエ、クロバエ、ヒトスジシマカ、ワクモ、アシナガバチ、コガタスズメバチ及びウシアブの畜舎内への侵入が効果的に抑制される。
また、家畜の臭いに誘引されたこれらの害虫は、網戸１９に接触すると死に得るため、網戸１９は、畜舎に取り付けられて、該害虫の減数処理にも用いられる。
特に、害虫防除製品ＰとしてＰ２が使用される場合、サシバエの侵入がより効果的に抑制される。
【００７６】
（使用例１９）
害虫防除製品Ｐは、樹木保護カバー２０の一部として使用されてもよい。
図２０には、害虫防除製品Ｐが樹木保護カバー２０の一部として使用される態様が示されている。樹木保護カバー２０は、樹木の幹に巻き付けるためのネット２０２を備える。本使用例においては、このネット２０２に害虫防除製品Ｐが使用されている。
樹木保護カバー２０によれば、樹木が、マツカレハ、アメリカシロヒトリ及びチャドクガから保護される。
特に、害虫防除製品ＰとしてＰ１又はＰ１’が使用される場合、マツカレハ、アメリカシロヒトリ及びチャドクガによる被害がより効果的に抑制される。
【００７７】
（使用例２０）
害虫防除製品Ｐは、農作物保護カバー２１の一部として使用されてもよい。
図２１には、害虫防除製品Ｐが農作物保護カバー２１の一部として使用される態様が示されている。農作物保護カバー２１は、農作物を覆うネット２１２と、ネット２１２を支持する骨組２１４と、ネット２１２の周端縁部に取り付けられた重りとしての鎖２１６とを備える。本使用例においては、このネット２１２に害虫防除製品Ｐが使用されている。
農作物保護カバー２１によれば、農作物が、モンシロチョウ、マメコガネ、モモアカアブラムシ及びトビイロウンカから保護される。
特に、害虫防除製品ＰとしてＰ１又はＰ１’が使用される場合、モンシロチョウ、マメコガネ、モモアカアブラムシ及びトビイロウンカによる被害がより効果的に抑制される。
【００７８】
（使用例２１）
害虫防除製品Ｐは、果実カバー２２の一部として使用されてもよい。
図２２には、害虫防除製品Ｐが果実カバー２２の一部として使用される態様が示されている。果実カバー２２は、果物を包む袋状のネット２２２を備える。詳しくは、ネット２２２は、果実が中に配される内側空間と、該内側空間に果実を導入するための導入用開口が形成されていることによって、袋状に形成されている。前記導入用開口の開口縁部には、該導入用開口を閉塞するための紐部材２２４が取り付けられている。本使用例においては、このネット２２２に害虫防除製品Ｐが使用されている。
果実カバー２２によれば、果実が、モモシンクイガ及びクサギカメムシから保護される。
特に、害虫防除製品ＰとしてＰ２が使用される場合、モモシンクイガ及びクサギカメムシによる被害がより効果的に抑制される。
【００７９】
（使用例２２）
害虫防除製品Ｐは、身体保護具としての腕カバー２３の一部として使用されてもよい。
図２３には、害虫防除製品Ｐが腕カバー２３の一部として使用される態様が示されている。腕カバー２３は、円筒状のネット２３２と、ネット２３２の両先端部に取り付けられたリング状の伸縮部材２３４とを備える。ネット２３２は、伸縮部材２３４の伸縮によって腕に固定可能に構成されている。本使用例においては、このネット２３２に害虫防除製品Ｐが使用されている。
腕カバー２３によれば、腕が、サシバエ、ヒトスジシマカ、アシナガバチ、コガタスズメバチ及びウシアブから保護される。
特に、害虫防除製品ＰとしてＰ２が使用される場合、ヒトスジシマカによる被害がより効果的に抑制される。
【００８０】
（使用例２３）
害虫防除製品Ｐは、身体保護具としての胴カバー（ベスト）の一部として使用されてもよい。
胴カバーは、胴を覆うように形成されたネットを備える。本使用例においては、このベスト状のネットに害虫防除製品Ｐが使用されている。
このような胴体保護具によれば、人の胴体が、サシバエ、ヒトスジシマカ、アシナガバチ、コガタスズメバチ及びウシアブから保護される。また、これらの害虫は、胴カバーに接触すると死に至るため、該害虫の減数処理にも用いられる。
特に、害虫防除製品ＰとしてＰ２が使用される場合、ヒトスジシマカによる被害がより効果的に抑制される。
【００８１】
（使用例２４）
害虫防除製品Ｐは、動物、例えば、ペット保護具としての腹部カバー２４の一部として使用されてもよい。
図２４には、害虫防除製品Ｐが腹部カバー２４の一部として使用される態様が示されている。腹部カバー２４は、円筒状のネット２４２と、ネット２４２の両先端部に取り付けられたリング状の伸縮部材２４４とを備える。ネット２４２は、伸縮部材２４４の伸縮によって胴体に固定可能に構成されている。本使用例においては、このネット２４２に害虫防除製品Ｐが使用されている。
腹部カバー２４によれば、ペットが、ダニ及びノミから保護される。また、これらの害虫は、腹部カバー２４に接触すると死に至るため、該害虫の減数処理にも用いられる。
特に、害虫防除製品ＰとしてＰ１又はＰ１’が使用される場合、ダニ及びノミによる被害がより効果的に抑制される。
【００８２】
（使用例２５）
害虫防除製品Ｐは、敷き具の一部として使用されてもよい。
敷き具は、平面状のネットを備える。本使用例においては、この平面状のネットに害虫防除製品Ｐが使用されている。
このような敷き具によれば、人又は動物が、ダニ及びノミから保護される。
このような敷き具は、寝具、カーペット又は絨毯等の中敷き又は下敷きとして用いられる。また、畜舎の床の下敷きとして用いられる。
特に、害虫防除製品ＰとしてＰ１又はＰ１’が使用される場合、ワクモによる被害がより効果的に抑制される。
【００８３】
（使用例２６）
害虫防除製品Ｐは、壁面カバーの一部として使用されてもよい。
壁面カバーは、平面状のネットを備え、一端縁部にハトメ加工がなされていることによって、壁に設けられたフックやワイヤーに吊り下げ可能に構成されている。本使用例においては、このネットに害虫防除製品Ｐが使用されている。
このような壁面カバーによれば、工場、倉庫、住宅又はビル等の壁面を這い上がろうとする匍匐性昆虫であるイエゴキブリ及びイエヒメアリが防除される。
特に、害虫防除製品ＰとしてＰ２が使用される場合、イエゴキブリの侵入がより効果的に抑制される。
【００８４】
本発明に係る害虫防除製品は、上記実施形態の構成に限定されるものではない。また、本発明に係る害虫防除製品は、上記した作用効果により限定されるものでもない。本発明に係る害虫防除製品は、本発明の要旨を逸脱しない範囲で種々の変更が可能である。
【産業上の利用可能性】
【００８５】
本発明は、害虫が侵入し得る場所に設置され、害虫が付着し得る箇所に装着されること等によって、それらの場所等において害虫を防除するために利用することができる。
【符号の説明】
【００８６】
１：害虫防除製品、１０１：繊維、１０２：網目、
２：窓用の網戸、３：ドア用の網戸、４：換気口カバー、５：ガラリ、６：ノレン、７：ブース、８：間仕切り用のカーテン、９：原料カバー、１０：空調機カバー、１１：ロールブラインド、１２：窓用のカーテン、１３：照明カバー、１４：食材保護具、１５：集水桝及び排水溝蓋カバー、１６：ゴミ置き場ネット、１７：外周フェンス、１８：テント、１９：網戸、２０：樹木保護カバー、２１：農作物保護カバー、２２：果実カバー、２３：腕カバー、２４：腹部カバー
【図１】
2018166521.tif 000003
【図２】
2018166521.tif 000004
【図３】
2018166521.tif 000005
【図４】
2018166521.tif 000006
【図５】
2018166521.tif 000007
【図６】
2018166521.tif 000008
【図７】
2018166521.tif 000009
【図８】
2018166521.tif 000010
【図９】
2018166521.tif 000011
【図１０】
2018166521.tif 000012
【図１１】
2018166521.tif 000013
【図１２】
2018166521.tif 000014
【図１３】
2018166521.tif 000015
【図１４】
2018166521.tif 000016
【図１５】
2018166521.tif 000017
【図１６】
2018166521.tif 000018
【図１７】
2018166521.tif 000019
【図１８】
2018166521.tif 000020
【図１９】
2018166521.tif 000021
【図２０】
2018166521.tif 000022
【図２１】
2018166521.tif 000023
【図２２】
2018166521.tif 000024
【図２３】
2018166521.tif 000025
【図２４】
2018166521.tif 000026